(57)【要約】【課題】  梱包作業を楽にし、梱包時に必要な緩衝材を紛失する心配もなく、梱包を何度でも容易に行うことができるマッサージ機を提供する。【解決手段】  背もたれ部２は、マッサージ部１０の施療子１１を使用者に当接させるための開口２２を備えた背もたれベース２０と、背もたれベース２０の開口２２の周縁に取付けられた開口カバー２３と、背もたれベース２０の前面を覆うように着脱自在に取付けられた背もたれカバー２６とを備える。座部３は、座ベース３０と、座ベース３０の上面を覆うように着脱自在に取付けられた座カバー３１とを備える。背もたれカバー２６及び座カバー３１を背もたれベース２０及び座ベース３０から取り外した状態で背もたれベース２０を座ベース３０上に折り畳んだときに、背もたれベース２０の前面が接触する座ベース３０の上面位置に緩衝材３３，３３を配設した。【選択図】      図３
2005334387.tif 000002
【特許請求の範囲】
【請求項１】
使用者にマッサージを行うマッサージ部を内蔵した背もたれ部と座部とを備え、背もたれ部は座部に対して回動自在に設けられた椅子型のマッサージ機において、
前記背もたれ部は、前記マッサージ部の施療子を使用者に当接させるための開口を備えた背もたれベースと、前記背もたれベースの開口を覆うように前面に設けられ、前記開口の周縁に取付けられた開口カバーと、前記背もたれベースの前面を覆うように着脱自在に取付けられ、かつクッション材を内装した背もたれカバーとを備え、
前記座部は、座ベースと、前記座ベースの上面を覆うように着脱自在に取付けられ、かつクッション材を内装した座カバーとを備え、
前記背もたれカバー及び座カバーを前記背もたれベース及び座ベースから取り外した状態で前記背もたれベースを前記座ベース上に折り畳んだときに、前記背もたれベース前面と前記座ベース上面とが接触する位置の少なくともいずれかに緩衝材を配設したことを特徴とするマッサージ機。
【発明の詳細な説明】
【技術分野】
【０００１】
この発明は、マッサージ機に関し、特に椅子型マッサージ機の背もたれ部の折り畳み構成に関する。
【背景技術】
【０００２】
使用者にマッサージを行うマッサージ部を内蔵した背もたれ部と座部とを備えた椅子型マッサージ機は、一般家庭で使用される製品の中では大型であり、輸送時や不使用時の容積を抑えるための提案がなされている。例えば、背もたれ部を分離する構成（例えば、特許文献１参照）、リクライニング機能を備えた背もたれ部を最も倒した状態とする構成（例えば、特許文献２参照）、リクライニング機構と背もたれ部との連結を解除することで背もたれ部を座部上に折り畳んだ状態とする構成（例えば、特許文献３参照）がある。これら特許文献１〜３に記載された構成では、いずれもマッサージ機の高さを抑えることにより、梱包時の容積を抑えることを実現している。
【０００３】
上記特許文献１記載の構成では、梱包方法の自由度は高くなる反面、開梱時に使用者が背もたれ部を組み付ける作業を行う必要がある。上記特許文献２記載の構成では、使用者による開梱時の組立作業は不要で、梱包時の高さ寸法を抑えることができる反面、梱包時の長さ寸法は大きくなってしまい、容積的には不利な場合がある。これらに対して、上記特許文献３記載の構成では、開梱時に使用者がリクライニング機構と背もたれ部とを連結する作業を伴うものの、分離された背もたれ部を組み付ける作業に比べると非常に簡単な操作で実現でき、梱包時の容積抑制にも有利である。
【特許文献１】特開平８−６９５号公報
【特許文献２】特開平１１−２０６８３１号公報
【特許文献３】実開平３−３１４３６号公報
【発明の開示】
【発明が解決しようとする課題】
【０００４】
しかしながら、上記のような折り畳み構造のマッサージ機にあっては、背もたれ部と座部に設けられたクッション材の形状によっては、折り畳んでも効果的に高さ寸法を抑えることができない場合がある。市販されている製品では、着脱自在とした座部のクッションを座部のベースから撤去してから背もたれ部を折り畳むことで、梱包時の高さ寸法をさらに抑えているものがある。クッションを撤去した座部のベースは金属、樹脂或いは木などの硬質の材料で形成されており、折り畳まれた背もたれ部の表面が硬質材料の座部のベースに接触して、その表面に傷が付くことを防止するために、背もたれ部と座部のベースとの間に発泡スチロールや段ボールなどの緩衝材を介して梱包する必要がある。
【０００５】
この場合、折り畳んだマッサージ機を梱包する際に、別途備えられた緩衝材を所定の位置に介在させる必要がある。緩衝材を正確に位置決めしないと、段ボール箱などの梱包箱の中に折り畳んだマッサージ機が収まらなくなるので、梱包作業は面倒である。また、緩衝材を紛失すると再度梱包するときに困るので、緩衝材は保管しておかなければならない。さらには、梱包・開梱のたびにユーザに緩衝材の位置決め・保管のための手間を煩わすことになる。
【０００６】
本発明は、そのような問題点に着目してなされたもので、梱包作業を楽にし、梱包時に必要な緩衝材を紛失する心配もなく、梱包を何度でも容易に行うことができるマッサージ機を提供することを目的とする。
【課題を解決するための手段】
【０００７】
前記目的を達成するために、本発明のマッサージ機は、使用者にマッサージを行うマッサージ部を内蔵した背もたれ部と座部とを備え、背もたれ部は座部に対して回動自在に設けられた椅子型のマッサージ機において、背もたれ部は、内蔵したマッサージ部の施療子を使用者に当接させるための開口を備えた背もたれベースと、背もたれベースの開口を覆うように前面に設けられ、開口の周縁に取付けられた開口カバーと、背もたれベースの前面を覆うように着脱自在に取付けられ、かつクッション材を内装した背もたれカバーとを備え、座部は、座ベースと、座ベースの上面を覆うように着脱自在に取付けられ、かつクッション材を内装した座カバーとを備え、背もたれカバー及び座カバーを背もたれベース及び座ベースから取り外した状態で背もたれベースを座ベース上に折り畳んだときに、背もたれベース前面と座ベース上面とが接触する位置の少なくともいずれかに緩衝材を配設した構成としている。
【発明の効果】
【０００８】
本発明によれば、背もたれベース前面と座ベース上面とが接触する位置の少なくともいずれかに緩衝材を配設してあるので、緩衝材を紛失する恐れがない上に、梱包時には背もたれカバー及び座カバーを背もたれベース及び座ベースから取り外してから背もたれベースをそのまま座ベース上に折り畳めばよく、別途の発泡スチロールなどの緩衝材を介在させる必要がないので、梱包作業が楽であるだけでなく、梱包を手間を掛けずに何度でも容易に行うことができる。
【０００９】
また、マッサージ機の梱包時に背もたれカバーと座カバーとを外して背もたれベースを座ベース上に折り畳めば、背もたれベース前面又は座ベース上面の少なくともいずれかに配設されている緩衝材が背もたれベースと座ベースとの間に介在するため、梱包状態で背もたれベース前面もしくは座ベース上面に傷が付くことを防止しながら、梱包時の高さ寸法を抑えることができる。
【発明を実施するための最良の形態】
【００１０】
以下、実施の形態により、この発明を更に詳細に説明する。
【００１１】
実施形態に係るマッサージ機１の外観斜視図を図１に、その開口カバー以外のカバー（背もたれカバー、座カバー、肘掛カバー）を取り外した状態の外観斜視図を図２に、全カバー（開口カバー、背もたれカバー、座カバー、肘掛カバー）を取り外した状態の外観斜視図を図３に示す。
【００１２】
マッサージ機１は、背もたれ部２、座部３、左右一対の肘掛部４，４、脚部５及び基台６からなる。背もたれ部２は、座部３の後端に対して後方へのリクライニング及び前方への折り畳みが可能なように組み付けられ、左右一対の肘掛部４，４は、座部３の左右両端に設けられている。脚部５の上端は座部３の底面に固定され、下端は基台６の上面に回転自在に取付けられている。
【００１３】
背もたれ部２は、前面ハウジング２１と背面ハウジング２５とで構成された背もたれベース２０と、背もたれベース２０の前面ハウジング２１を覆うように着脱自在に取付けられる背もたれカバー２６（図４）とで構成される。背もたれベース２０内には、使用者にマッサージを行う施療子１１を駆動するためのマッサージ部１０が内蔵されており、施療子１１は背もたれベース２０の前面ハウジング２１に設けられた開口２２より突出し、使用者に当接する。
【００１４】
マッサージ部１０は背もたれベース２０内を昇降自在に設けられており、かつ施療子１１を所定の軌跡で駆動する機構を備えている。マッサージ部１０の昇降や施療子１１の駆動のための機構は公知の技術を用いればよく、ここでは詳細な説明は省略するが、施療子１１を使用者の肩から腰にかけて上下、前後及び左右に駆動させて、使用者に対してもみマッサージ、たたきマッサージ、指圧マッサージ及び背筋伸ばしマッサージなどを施す。      
【００１５】
図２及び図３から分かるように、背もたれカバー２６を外すと、背もたれベース２０の前面ハウジング２１が露出する。前面ハウジング２１は硬質な合成樹脂などにより形成されており、横方向の中央には前述のようにマッサージ部１０の施療子１１を使用者に当接させるための開口２２が設けられている。開口２２の前面には、開口２２を覆うようにその周縁にネジなどの取付手段２４によって開口カバー２３が取付けられており、マッサージ部１０及び施療子１１が露出することを防止している。
【００１６】
前面ハウジング２１の前面周縁には、背もたれカバー２６を着脱自在に取付けるために着脱手段２８が設けられている。着脱手段２８は後述するように背もたれカバー２６の前面ハウジング２１との当接面２６ａにも設けられており（図５）、双方の着脱手段２８が係合することにより、前面ハウジング２１に対する背もたれカバー２６の取付けが容易に実施できる。着脱手段２８には、面ファスナ、ファスナ、ホックなどの公知の手段を用いればよい。実施形態におけるマッサージ機１では、面ファスナとホックを併用することで位置決めと装着、及び取り外しを容易かつ確実に実現できる構成としている。
【００１７】
背もたれカバー２６の正面図（平面図）を図４に、その裏側から見た外観斜視図を図５に、図５の線Ａ−Ａにおける概略断面図を図６に示す。図４〜図６に示すように、背もたれカバー２６は、上端が後部に向かって湾曲した形状に形成されており、前面ハウジング２１の開口２２に当接する部分は表皮２６ｂのみで、それ以外の部分はウレタンフォーム等で形成されたクッション２７を表皮２６ｂで包むように形成されている。
【００１８】
また、背もたれカバー２６の背面には、その周縁よりやや内側に前述の着脱手段２８を設けている。この着脱手段２８を背もたれベース２０の前面ハウジング２１に設けた着脱手段２８に係合させることで、背もたれカバー２６が背もたれベース２０に密着して取付けられる。
【００１９】
図２及び図３において、座部３は、座ベース３０と、座ベース３０の上面を覆うように着脱自在に取付けられる座カバー３１（図７）とで構成される。座ベース３０は硬質な合成樹脂などにより形成されており、その内部にはマッサージ部１０を駆動及び制御するための制御回路が設けられており、座ベース３０の上面には制御回路を収納するスペースを塞ぐ蓋３２が設けられている。座ベース３０は、上面の左右両側が上方に湾曲して形成されており、湾曲した部分は肘掛部４，４の肘掛ベース４０，４０の両内側面となる内側ハウジング４１，４１を構成する。つまり、本発明の実施形態であるマッサージ機１は、座ベース３０の上面と肘掛ベース４０，４０の両内側面とを一体的に形成している。
【００２０】
さらに、座ベース３０の上面において左右両端付近の、背もたれベース２０を座ベース３０上に折り畳んだときに背もたれベース２０の前面が接触する位置には、ゴム等の弾性を有した材質で形成された緩衝部材３３，３３が取付けられている。この緩衝部材３３，３３は、背もたれカバー２６、座カバー３１を取り外した状態で背もたれ部２を前方に折り畳む際に、背もたれベース２０と座ベース３０とが直接接触することで、破損等が発生しないようにするためのものである。
【００２１】
座ベース３０の前面及び上面後端には、座カバー３１を着脱自在に取付けるために着脱手段２８が設けられている。着脱手段２８は後述するように座カバー３１の座ベース３０との当接面３１ａの前後両端にも設けられており、双方の着脱手段２８が係合することにより、背もたれ部２と同様に座ベース３０に対する座カバー３１の取付けが容易に実施できる。着脱手段２８には、面ファスナ、ファスナ、ホックなどの公知の手段を用いればよい。
【００２２】
座カバー３１の正面図（平面図）を図７に、その裏側から見た外観斜視図を図８に示す。座カバー３１はウレタンフォーム等で形成したクッション（図示せず）と、それを包む表皮（符号は付せず）とで構成されており、前端が下方に向かって湾曲した形状に形成されている。また、座カバー３１の底面には、その前後端よりやや内側に前述の着脱手段２８を設けている。この着脱手段２８を座ベース３０の前面及び上面後端に設けた着脱手段２８に係合させることで、座カバー３１が座ベース３０に密着して取付けられる。
【００２３】
図２及び図３において、肘掛部４，４は、肘掛ベース４０，４０と肘掛カバー４３，４３（図９）とにより構成される。肘掛ベース４０，４０は前述の内側ハウジング４１，４１と、この内側ハウジング４１，４１の外側に取付けられる外側ハウジング４２，４２とから構成される。さらに、肘掛カバー４３，４３が肘掛ベース４０，４０の内側ハウジング４１，４１の表面を覆うように取付けられる。
【００２４】
肘掛ベース４０の内側ハウジング４１，４１の上端及び前端周縁には、肘掛カバー４３を着脱自在に取付けるために着脱手段２８が設けられている。着脱手段２８は後述するように肘掛カバー４３，４３の内側ハウジング４１，４１との当接面４３ａにも設けられており、双方の着脱手段２８が係合することにより、背もたれ部２及び座部３と同様に、肘掛ベース４０，４０に対する肘掛カバー４３，４３の取付けが容易に実施できる。着脱手段２８には、面ファスナ、ファスナ、ホックなどの公知の手段を用いればよい。
【００２５】
肘掛カバー４３，４３の正面図（平面図）を図９に、その裏側から見た正面図（平面図）を図１０に、図１０の線Ｂ−Ｂにおける概略断面図を図１１に示す。肘掛カバー４３，４３は、ウレタンフォーム等で形成されたクッション４４，４４と、それを包む表皮４３ｂ，４３ｂとで構成されており、上端及び前端が外方に向かって湾曲した形状に形成されている。また、肘掛カバー４３，４３の内側ハウジング４１，４１との当接面４３ａには、その上端及び前端周縁よりやや内側に前述の着脱手段２８が設けられている。この着脱手段２８を肘掛ベース４０，４０の内側ハウジング４１，４１の上端及び前端周縁に設けた着脱手段２８に係合させることで、肘掛カバー４３，４３が肘掛ベース４０，４０に密着して取付けられる。
【００２６】
このマッサージ機１における背もたれ部２の後方へのリクライニング及び前方への折り畳みを可能とする構造は、既知のものを採用すればよいが、一例として図１２（背もたれ部２を折り畳んだ状態の側面図）、図１３（背もたれ部２を起こした状態での要部斜視図）、図１４（背もたれ部２を前方へ折り畳むときの要部斜視図）、及び図１５（背もたれ部２を折り畳んだ状態での要部斜視図）を参照して概説する。
【００２７】
前述のように、背もたれ部２は座部３の後端に対して後方へのリクライニング及び前方への折り畳みが可能なように組み付けられている。座部３に対する背もたれ部２の下端付近に設けられた支軸（図示せず）は、座部３の後端付近に対して回動自在に取付けられる。その支軸には一対のリンク５１の一端部が回動自在に取付けられており、リンク５１は、支軸を備えた背もたれ部２及び支軸が枢設された座部３に対しても相対的に回動自在となっている。また、一対のリンク５１の他端部はバー５５によって連結されている。
【００２８】
そのバー５５の中央付近には、フック５２が軸５６の支持により回動自在に設けられている。フック５２に対応して、背もたれ部２（背もたれベース２０）の底面の後端付近には、フック５２に係脱可能なＵ字状のブラケット５３が取付けられている。フック５２は、ブラケット５３が係止するための切欠き５２ａを有するとともに、ブラケット５３と係止した場合に、その係合状態を維持する方向（時計回り方向）に軸５６に設けられたバネ５７により付勢されている。また、フック５２がブラケット５３に係止していない状態においては、フック５２は、ブラケット５３が接近、当接することでバネ５７による付勢に抗して回動することとなり、その状態でフック５２とブラケット５３との係合状態が成立した後は、再びフック５２がバネ５７によって係合状態を維持する方向に付勢される。
【００２９】
図１３及び図１５には一部のみしか示していないが、座部３の底面付近にはガスダンパー５４が設けられている。このガスダンパー５４の端部がバー５５に枢設されるとともに、ガスダンパー５４のロッド（図示せず）の先端が座部３の前端付近に枢設されている。従って、ガスダンパー５４のロッドの突出量を変更することで、ガスダンパー５４の全長が変化し、これによりリンク５１及びバー５５が支軸に対して回動する。すなわち、ガスダンパー５４の全長を長くすると、背もたれ部２が前方へ倒れ、ガスダンパー５４の全長を短くすると、背もたれ部２が後方へ倒れる。
【００３０】
なお、ガスダンパー５４の全長の調整は、右側の肘掛部４の外面に設けられたリクライニングレバー４５（図２）とガスダンパー５４の図示しない操作部をワイヤで接続しておくことで、使用者がマッサージ機１を使用しながら操作することが可能である。
【００３１】
フック５２がブラケット５３に係止されている状態においては、フック５２がバー５５を介して枢設されているリンク５１と、ブラケット５３が取付けられている背もたれ部２とが連結した状態となる。この状態でガスダンパー５４の全長を変化させると、背もたれ部２の座部３に対する角度が変化し、背もたれ部２がリクライニング動作することとなる。また、フック５２をバネ５７の付勢力に抗して反時計回り方向に操作することで、ブラケット５３がフック５２の切欠き５２ａから外れ、フック５２がブラケット５３に係止されていない状態では、背もたれ部２は前方への回動のみが可能となり、背もたれ部２の前面が座部３の上面に接触する位置まで折り畳み動作が可能となる。
【００３２】
このとき、背もたれ部２の背もたれカバー２６と座部３の座カバー３１とを取り外しておくと、背もたれ部２と座部３との接触位置は背もたれベース２０の前面と座ベース３０の上面となる。背もたれ部２と座部３とに各カバー２６，３１を取付けたまま折り畳むよりも、各カバー２６，３１に内装されたクッションの分だけよりコンパクトに折り畳むことが可能となる。
【００３３】
また、各クッションを取り外した状態のため、ともに硬質な合成樹脂などで形成された背もたれベース２０と座ベース３０とが接触することとなるが、前述のように座ベース３０の上面において左右両端付近の、背もたれベース２０を座ベース３０上に折り畳んだときに背もたれベース２０の前面が接触する位置には、緩衝部材３３，３３が取付けられているため、前方に折り畳まれた背もたれベース２０の前面は、座ベース３０に直接接触することはなく、緩衝部材３３，３３に接触することとなる。これにより、梱包状態では背もたれベース２０の前面と座ベース３０の上面との間に緩衝部材３３，３３が介在するので、背もたれベース２０の前面や座ベース３０の上面に傷が付かない。
【００３４】
さらに、背もたれベース２０の前面と座ベース３０の上面とが接触する位置のうち、座ベース３０の上面位置に緩衝材３３が設けられているので、緩衝材３３を紛失する恐れがない上に、梱包時には背もたれカバー２６及び座カバー３１を背もたれベース２０及び座ベース３０から取り外してから背もたれベース２０をそのまま座ベース３０上に折り畳めばよく、別途の発泡スチロールなどの緩衝材を介在させる必要がないので、梱包作業が楽である。しかも、梱包を手間を掛けずに何度でも容易に行うことができる。
【００３５】
なお、前述の実施形態によるマッサージ機１では、背もたれ部２のリクライニング動作のためにガスダンパー５４を用いる構成としたが、電動機などを駆動源として伸縮動作するアクチュエータを用いてもよい。また、折り畳み時に背もたれベース２０と座ベース３０との直接接触を防止する緩衝部材３３，３３は、座ベース３０の上面に設けたが、背もたれベース２０の前面に設けてもよいし、背もたれベース２０の前面と座ベース３０の上面との両方に設けてもよい。
【図面の簡単な説明】
【００３６】
【図１】実施形態に係るマッサージ機の外観斜視図である。
【図２】同マッサージ機の開口カバー以外のカバー（背もたれカバー、座カバー、肘掛カバー）を取り外した状態の外観斜視図である。
【図３】同マッサージ機の全カバー（開口カバー、背もたれカバー、座カバー、肘掛カバー）を取り外した状態の外観斜視図である。
【図４】同マッサージ機における背もたれカバーの正面図（平面図）である。
【図５】同マッサージ機における背もたれカバーを裏側から見た外観斜視図である。
【図６】図５の線Ａ−Ａにおける概略断面図である。
【図７】同マッサージ機における座カバーの正面図（平面図）である。
【図８】同マッサージ機における座カバーを裏側から見た外観斜視図である。
【図９】同マッサージ機における肘掛カバーの正面図（平面図）である。
【図１０】同マッサージ機における肘掛カバーを裏側から見た正面図（平面図）である。
【図１１】図１０の線Ｂ−Ｂにおける概略断面図である。
【図１２】同マッサージ機における背もたれ部を折り畳んだ状態の側面図である。
【図１３】同マッサージ機における背もたれ部を起こした状態での要部斜視図である。
【図１４】同マッサージ機における背もたれ部を前方へ折り畳むときの要部斜視図である。
【図１５】同マッサージ機における背もたれ部を折り畳んだ状態での要部斜視図である。
【符号の説明】
【００３７】
１        マッサージ機
２        背もたれ部
３        座部
４        肘掛部
５        脚部
６        基台
１０      マッサージ部
１１      施療子
２０      背もたれベース
２１      前面ハウジング
２２      開口
２３      開口カバー
２５      背面ハウジング
２６      背もたれカバー
２６ａ    背もたれカバーの前面ハウジングとの当接面
２８      着脱手段
２９      検出部
３０      座ベース
３１      座カバー
３３      緩衝部材
４０      肘掛ベース
４１      内側ハウジング
４２      外側ハウジング
４３      肘掛カバー
５２      フック
５３      ブラケット
【図１】
2005334387.tif 000003
【図２】
2005334387.tif 000004
【図３】
2005334387.tif 000005
【図４】
2005334387.tif 000006
【図５】
2005334387.tif 000007
【図６】
2005334387.tif 000008
【図７】
2005334387.tif 000009
【図８】
2005334387.tif 000010
【図９】
2005334387.tif 000011
【図１０】
2005334387.tif 000012
【図１１】
2005334387.tif 000013
【図１２】
2005334387.tif 000014
【図１３】
2005334387.tif 000015
【図１４】
2005334387.tif 000016
【図１５】
2005334387.tif 000017